(57)【要約】【課題】  ハンガーとパイプとの間の摺動性が改善され、ハンガーやパイプからの粉落ちを防止した衣服ハンガー及び衣服ハンガー用取付部品を提供する。【解決手段】  衣服支持部２と吊下用のフック部１０と前記フック部を軸心に回転する円筒状の回転ロール１２とを備え、フック部は、回転ロールの軸方向の一の端部１２ａから下方に延び回転ロールの中央位置で衣服支持部の上部中央に接続されている。【選択図】    図１
2005296308.tif 000002
【特許請求の範囲】
【請求項１】
衣服支持部と吊下用のフック部と前記フック部を軸心に回転する円筒状の回転ロールとを備え、前記フック部は、該回転ロールの軸方向の一の端部から下方に延び前記回転ロールの中央位置で前記衣服支持部の上部中央に接続されていることを特徴とする衣服ハンガー。
【請求項２】
さらに、前記フック部は、前記回転ロールの軸方向の他の端部から下方に延び終端を有するガイド部を備えたことを特徴とする請求項１記載の衣服ハンガー。
【請求項３】
前記回転ロールの外面は、軸方向の端部から中央に向かって凹状に窪んでいることを特徴とする請求項１または２記載の衣服ハンガー。
【請求項４】
衣服支持部と吊下用のフック部とを含む衣服ハンガー用の取付部品であって、円筒を軸方向に２分割した形状をなす２つの軸片からなり前記フック部の吊下領域を挟持する軸体と、少なくとも一方の軸片の軸方向における２つの端縁外側にそれぞれ設けられたストッパと、前記軸体を軸心に回転し前記ストッパの間に位置する円筒状の回転ロールとを備えたことを特徴とする衣服ハンガー用取付部品。
【発明の詳細な説明】
【技術分野】
【０００１】
本発明は衣服ハンガー及び衣服ハンガー用取付部品に関する。
【背景技術】
【０００２】
従来から、衣服ハンガーとして種々の用途のもの、例えば衣服を支持する肩部の長さ調節が可能なもの（例えば、特許文献１参照）、乾燥装置付きのもの（例えば、特許文献２参照）、など多数のものが開発されている。これらは、衣服ハンガーに種々の利便性やアイデアを付加したものといえる。
【０００３】
【特許文献１】特開２００２−１４２９５４号公報
【特許文献２】特開平１１−８９７００号公報
【発明の開示】
【発明が解決しようとする課題】
【０００４】
しかしながら、従来の衣服ハンガーには次のような欠点がある。すなわち、例えば業務用の衣料品陳列什器等においては、美観や耐久性の点からハンガーの吊下げフックと吊下げパイプにはいずれもクロムメッキが施されている。ところが、パイプ上のハンガーを左右に移動させると、ハンガーの吊下げフック下面とパイプ上面とが直接擦れ、金属同士の摩擦により金属粉が発生する。この金属粉が衣料品、特にワイシャツ、ブラウス等の白い衣料、高価なスーツ等に付着すると黒い汚れとなり、商品価値が消失するので、百貨店等では毎朝パイプを拭く作業が必要となる。特に、冬用コートのような重量物を吊下げた場合にこの問題は顕著になる。
【０００５】
又、ハンガーパイプにぎっしり掛けられた衣服ハンガーの中から１本のハンガーを取り出すには、他の衣服用ハンガーを左右に移動させて隙間をつくる必要があり、この移動時の摩擦が大きいため、移動に力を要し、女性販売員にとって負担となる。さらに、衣服ハンガーを左右に動かすと嫌な音が発生し、耐え難いという問題もある。
このように、従来の衣服ハンガーにおいて、ハンガーとパイプとの間の摺動性について考慮されたものは存在しなかった。
本発明は上記の課題を解決するためになされたものであり、ハンガーとパイプとの間の摺動性が改善され、ハンガーやパイプからの粉落ちを防止した衣服ハンガー及び衣服ハンガー用取付部品の提供を目的とする。
【課題を解決するための手段】
【０００６】
上記した目的を達成するために、本発明の衣服ハンガーは、衣服支持部と吊下用のフック部と前記フック部を軸心に回転する円筒状の回転ロールとを備え、前記フック部は、該回転ロールの軸方向の一の端部から下方に延び前記回転ロールの中央位置で前記衣服支持部の上部中央に接続されていることを特徴とする。
【０００７】
さらに、前記フック部は、前記回転ロールの軸方向の他の端部から下方に延び終端を有するガイド部を備えると好ましい。前記回転ロールの外面は、軸方向の端部から中央に向かって凹状に窪んでいることが好ましい。
【０００８】
本発明の衣服ハンガー用取付部品は、衣服支持部と吊下用のフック部とを含む衣服ハンガー用の取付部品であって、円筒を軸方向に２分割した形状をなす２つの軸片からなり前記フック部の吊下領域を挟持する軸体と、少なくとも一方の軸片の軸方向における２つの端縁外側にそれぞれ設けられたストッパと、前記軸体を軸心に回転し前記ストッパの間に位置する円筒状の回転ロールとを備えたことを特徴とする。
【発明の効果】
【０００９】
本発明によれば、ハンガーとパイプとの間の摺動性が改善され、ハンガーやパイプからの粉落ちを防止できる。又、パイプ上でのハンガーの左右への移動が円滑になり、作業性が向上する。
【発明を実施するための最良の形態】
【００１０】
以下、本発明に係る衣服ハンガーの実施の形態について説明する。
【００１１】
＜第１の実施形態＞
本実施形態の衣服ハンガーを図１、図２を参照して説明する。図１において、衣服ハンガー２０は、衣服支持部２と吊下用のフック部１０と回転ロール１２とを有する。衣服支持部２は例えばプラスチックからなる略長片状をなし、上部中央２ａから両側端２ｂ、２ｂへ向かって下降傾斜して延び、肩の曲線に類似した曲線で上部輪郭が構成されて衣服の肩部を支持する。フック部１０は表面がクロムメッキされた金属線材から一体形成される一部を切り欠いた環状（鉤状）をなし、接続端部１４ａを介して衣服支持部２の上部中央２ａに接続される。接続端部１４ａは衣服支持部２の上面に平行な面上を回転自在に接続されている。
【００１２】
円筒状の回転ロール１２は、フック部１０の水平部１５を軸心に回転可能になっていて、フック部１０はさらに詳しくは、回転ロール１２の軸方向の一の端部１２ａから下方に半円弧状に延びる接続部１４と、回転ロール１２の軸方向の他の端部１２ｂから下方に１／４円弧状に延び終端１６ａを有するガイド部１６とを備え、接続部１４とガイド部１６とは水平部１５を介して一体化されている。ガイド部１６は、回転ロール１２がパイプから脱落した場合にパイプに引っ掛かり、衣服ハンガーの落下を防止する。
【００１３】
なお、接続部１４は上記端部１２ａから半円弧状に延び、回転ロール１２の中央位置で下方に垂下し、上記接続端部１４ａに至る。そして、接続端部１４ａが衣服支持部２の上部中央２ａに接続されるので、回転ロール１２の中央位置が衣服ハンガー全体の重心位置に等しくなる。従って、フック部１０下面に位置する回転ロール１２をパイプ等に引っ掛けられると、回転ロール１２が重心となり、衣服ハンガーがパイプからずり落ちずに吊下げられる。
【００１４】
このようにして、パイプ等に吊下げられた衣服ハンガー２０は、回転ロール１２の回転に伴ってパイプ上を円滑に移動することができる。
【００１５】
図２は、衣服ハンガー２０の分解図を示す。この図において、回転ロール１２の軸方向の中心には孔１２ｃが穿設され、この孔１２ｃ内にフック部１０の直線部１５が挿通されるようになっている。回転ロール１２は例えばプラスチック製であり、クロムメッキ等された金属製のパイプとの間の摩擦を低減可能になっている。
【００１６】
＜第２の実施形態＞
本実施形態の衣服ハンガーを図３を参照して説明する。なお、図３において、上記第１の実施形態の衣服ハンガーと同一の構成部分については、同一の符号を付して説明を省略する。衣服ハンガー２０ｘは、フック部１０ｘ及び回転ロール１３の構造が上記第１の実施形態の衣服ハンガーと異なっている。つまり、フック部１０ｘはガイド部１６を有さず、接続部１４の一端から直線部１５を経て、回転ロール１３の他端部１３ｂから表出して終端部１９に至る。そして、回転ロール１３は、軸方向の端部から中央に向かって半円弧状の凹状に窪み、回転ロール１３の下面に当接するパイプの外面に沿うようになっている。本実施形態の場合、回転ロール１３の凹部がパイプ外面を覆うようになっているので、回転ロール１３がパイプから脱落し難く、ガイド部１６が無くても済む。
【００１７】
＜衣服ハンガー用取付部品＞
次に、本発明の実施の形態に係る衣服ハンガー用取付部品について図４〜図６を参照して説明する。図４において、衣服ハンガー用取付部品５０は、衣服ハンガー２０Ｙの吊下用フック部１４Ｙの吊下領域を挟持する軸体５１と、軸体５１を軸心に回転する円筒状の回転ロール５３を有する。軸体５１の軸方向における２つの端縁外側にはそれぞれ小片状のストッパ５４ａ、５４ｂが設けられ、回転ロール５３が各ストッパの間に保持されるようになっている。軸体５１及び回転ロール５３は、通常、プラスチック等からなる。衣服ハンガー２０Ｙは、環状（鉤状）のフック部１４Ｙと、上記と同様な衣服支持部２とを有する。なお、フック部１４Ｙは一本の金属線材から一体に形成されるが上記水平部が設けられず、図４におけるフック部１４Ｙ下面の曲線部分が吊下領域（フックがパイプ等に吊り下げられる部分）をなしている。
【００１８】
衣服ハンガー用取付部品５０のさらに詳しい構成を図５に示す。図５において、軸体５１は、円筒を軸方向に２分割した形状をなす２つの軸片５４、５６からなり、各軸片５４、５６は、軸方向に平行な一の端縁５５で接続され、該端縁を中心に回動可能になっている（図５の右側面図）。軸片５４の軸方向における２つの端縁外側には、それぞれストッパ５４ａ、５４ｂが設けられ、軸片５６の軸方向における２つの端縁外側には、それぞれストッパ５６ａ、５６ｂが設けられている。軸片５４、５６の内面側には、吊下用フック部１４Ｙの吊下領域とほぼ同形（上側に凸となる曲線状）の内部空間５２が形成され、この内部空間５２に上記吊下領域を収容した状態でフック部１４Ｙを挟持するようになっている。そして、軸片５４の内面上側には凸状の係止片５８が設けられ、軸片５６の内面上側の対応する位置には凹状の係止孔５９が設けられ、係止片５８を係止孔５９に嵌合することにより、軸片５４、５６を固定するようになっている。
【００１９】
次に、衣服ハンガー用取付部品５０を衣服ハンガー２０Ｙに取付ける態様について図６を参照して説明する。図６において、まず、軸片５４、５６を開き、内部空間５２にフック部１４Ｙの吊下領域を収容する。そして、吊下領域を挟持するようにして軸片５４、５６を合わせ、係止片５８を係止孔５９に嵌合する（図６（ａ））。
このようにして軸体５１がフック部１４Ｙに固定され、軸体５１の端縁外側にストッパ５４ａ、５４ｂ（５６ａ、５６ｂ）が突出する（図６（ｂ））。
次に、回転ロール５３の内面５３ａをフック部１４Ｙの終端から通し、ストッパ５４ａを乗り越えさせ、軸体５１の外側に回転ロール５３を配設する（図６（ｃ））。このようにして、回転ロール５３が軸体５１を軸心に回転可能となる。なお、この例では、ストッパ５４ａを押圧することにより、ストッパ５４ａが軸体５１の表面から内側へ収容されるようになっていて、回転ロール５３を押し込むことでストッパ５４ａを乗り越えることができる。
【００２０】
本発明の衣服ハンガー用取付部品を用いると、既存の衣服用ハンガーに対して回転ロールを取付けることができる。
【００２１】
本発明は、上記実施形態に限定されない。例えば、ハンガーパイプがクロムメッキされた金属等でなく、プラスチック製であっても本発明は有効であり、この場合は、衣服ハンガーとパイプの間のプラスチック粉の発生を防止でき、又、ハンガーの移動が円滑になるのは勿論である。又、衣服支持部としては、上着を掛けるタイプの他、ズボンやスラックスを掛けるタイプのもの等、自由に選択できる。吊下げフックの形状、材質も上記に限定されず、プラスチック製であってもよい。さらに、吊下げフックと衣服支持部が一体に形成されていてもよい。又、上記実施形態では、各軸片が軸方向に平行な一の端縁で接続されていたが、各軸片が完全に分離していて、使用時（フックへの挟持時）に各軸片を接続するようにしてもよい。
【００２２】
なお本発明において、吊下げフックが衣服支持部に固定されている場合は、衣服支持部の長片方向と、回転ロールの軸方向とを平行にする必要がある。
【図面の簡単な説明】
【００２３】
【図１】本発明の第１の実施形態の衣服ハンガーを示す図である。
【図２】本発明の第１の実施形態の衣服ハンガーを示す別の図である。
【図３】本発明の第２の実施形態の衣服ハンガーを示す図である。
【図４】本発明の実施の形態に係る衣服ハンガー用取付部品を示す図である。
【図５】本発明の実施の形態に係る衣服ハンガー用取付部品を示す別の図である。
【図６】衣服ハンガー用取付部品を衣服ハンガーに取付ける態様を示す図である。
【符号の説明】
【００２４】
２      衣服支持部
１０    フック部
１２    回転ロール
１２ａ  回転ロールの軸方向の一の端部
【図１】
2005296308.tif 000003
【図２】
2005296308.tif 000004
【図３】
2005296308.tif 000005
【図４】
2005296308.tif 000006
【図５】
2005296308.tif 000007
【図６】
2005296308.tif 000008